(57)【要約】【課題】通常のメモ用紙と筆記具を手軽に備え、汗や降雨にも防水できるようにしたメモ用紙入れを提供する。また、耐水フィルムと筆記具を手軽に備え、潜水中、水中、降雨中でも筆記できるようにしたメモ用紙入れを提供する。【解決手段】２つ折りした合成樹脂シートカバー１０の上端１１を、折り目１０１から一定長さあけて設けた開き部分１１０を除いて、封止すると共に、下端１２の全部を封止して、前記開き部分１１０に、クリップ２１を係着できるようにしたクリップ付き筆記具２０を挿入し、開口側端１３から、メモ用紙３０を収納又は取り出しできるようにしたもの。【選択図】　　　図１
2004049363.tif 000002
【特許請求の範囲】
【請求項１】
２つ折りした合成樹脂シートカバー１０の上端１１を、折り目１０１から一定長さあけて設けた開き部分１１０を除いて、封止すると共に、下端１２の全部を封止して、前記開き部分１１０に、クリップ２１を係着できるようにしたクリップ付き筆記具２０を挿入し、開口側端１３から、メモ用紙３０を収納又は取り出しできるようにしたことを特徴とするメモ用紙入れ。
【請求項２】
２つ折りした合成樹脂シートカバー１０Ｂの上端１１Ｂ及び下端１２Ｂを、それぞれ折り目１０１Ｂから一定長さあけて設けた開き部分１１０Ｂ、１２０Ｂを除いて封止し、前記開き部分１１０Ｂ又は１２０Ｂに、クリップ２１Ｂを係着できるようにしたクリップ付き筆記具２０Ｂを挿入し、開口側端１３Ｂから、耐水メモ用紙３０Ｂを収納又は取り出しできるようにしたことを特徴とするメモ用紙入れ。
【発明の詳細な説明】
【０００１】
【発明の属する技術分野】
本発明は、メモ用紙を収納又は取り出しできるようにしたメモ用紙入れに関する。
【０００２】
【従来の技術】
メモ用紙を、胸ポケットに入れた場合に、例を挙げて説明すると、急に筆記する必要があるとき、折角、メモ用紙を取り出しても胸ポケット以外に格納していた鉛筆やボールペンが間に合わなかった場合、これらの筆記具を胸ポケットに格納していても、既に胸ポケットから紛失して筆記できなかった場合、汗や降雨に濡れて、用紙がべとつき、筆記できなかったり、折角、筆記した用紙の文字等が消えてしまった場合といったような不便を日頃経験することが多い。
そこで、本発明者は、メモ用紙と筆記具を一体的に手軽に備えて、取り出しできるようにすると共に、汗や降雨時でも筆記に支障がないようにしたメモ用紙入れを開発することに成功した。
さらに本発明者は、潜水中、水中、降雨中でも筆記できる耐水フィルムを使用したメモ用紙入れを開発することに成功した。
【０００３】
【発明が解決しようとする課題】
本発明は、通常のメモ用紙と筆記具を手軽に備え、汗や降雨にも防水できるようにしたメモ用紙入れを提供するものである。
また、本発明は、耐水フィルムと筆記具を手軽に備え、潜水中、水中、降雨中でも筆記できるようにしたメモ用紙入れを提供するものである。
【０００４】
【課題を解決するための手段】
本発明メモ用紙入れは、上記課題を達成するため、図示するように、２つ折りした合成樹脂シートカバー１０の上端１１を、折り目１０１から一定長さあけて設けた開き部分１１０を除いて、封止すると共に、下端１２の全部を封止して、前記開き部分１１０に、クリップ２１を係着できるようにしたクリップ付き筆記具２０を挿入し、開口側端１３から、メモ用紙３０を収納又は取り出しできるようにしたものである。
また、本発明メモ用紙入れは、上記課題を達成するため、図示するように、２つ折りした合成樹脂シートカバー１０Ｂの上端１１Ｂ及び下端１２Ｂを、それぞれ折り目１０１Ｂから一定長さあけて設けた開き部分１１０Ｂ、１２０Ｂを除いて封止し、前記開き部分１１０Ｂ又は１２０Ｂに、クリップ２１Ｂを係着できるようにしたクリップ付き筆記具２０Ｂを挿入し、開口側端１３Ｂから、耐水メモ用紙３０Ｂを収納又は取り出しできるようにしたものである。
本発明において、合成樹脂シートカバーは、ポリエチレン、ポリプロピレン、ポリ塩化ビニール、ポリエチレンテレフタレート等の厚み約０．１乃至０．３ミリメートルの無色又は着色の硬質又は半硬質の透明シートが好ましい。
開き部分は、折り目から約２〜３センチメートル程度の長さの上端又は上端及び下端が封止されていないことが好ましい。
上端又は下端の封止は、熱シール、接着等で行われる。
通常のメモ用紙は、Ａ７サイズ程度の大きさの上質紙を１０枚乃至１５枚程度重ねたものが好ましく、耐水メモ用紙は、Ａ７サイズ程度の厚み５０ミクロン乃至７５ミクロン程度の合成樹脂フィルムで、シリカ等の微粉を耐水性コーテイング液で混合した、いわゆるマット剤の塗布により、表面に、微細凹凸面を形成し、表面に鉛筆で筆記したとき、その芯物質の微細粒粉が残留できるものが好ましい。
クリップ付き筆記具としては、主としてゴルフプレイ時に使用されるような実施例記載の扁平板状の鉛筆が好ましい。
【０００５】
【発明の実施の形態１】
本発明の実施の形態１が図１乃至図６に示されている。
本発明メモ用紙入れは、合成樹脂シートカバー１０とクリップ付き鉛筆２０とメモ用紙３０とを備えている。
シートカバー１０は、図１に示すように、折り目１０１で２つ折りした合成樹脂シートで、上端１１は折り目１０１から約２．５センチメートルあけてから封止し、上端１１の封止していない部分は、開き部分１１０とし、下端１２はすべて封止されている。図上右側端１３は、封止されておらず、メモ用紙３０を収納又は取り出しできるように、開口されている。
クリップ付き鉛筆２０は、クリップ２１と鉛筆芯２２とを設けた合成樹脂製の扁平板状の鉛筆である。
メモ用紙３０は、米坪８１．４ｇ〜１０４．７ｇ程度のＡ７上質紙を１０枚重ね合わしたもので、一枚一枚取り出せるものである。
従って、合成樹脂シートカバー１０内に、開口側端１３から、メモ用紙３０を収納し、開き部分１１０に、クリップ２１が係着できるように、クリップ付き筆記具２０をシートカバー１０内に挿入すれば、本発明のメモ用紙入れが出来上がる。
従って、これを胸ポケット４０等に入れても、メモ用紙３０は勿論筆記具２０も、シートカバー１０内に収納されているので、ポケット外に脱離することは殆どなく、また、メモ用紙３０は、ポケットが汗に濡れても、べとつきが防止される。なお、降雨の激しいときは、シートカバー１０の下端１２を上方にし、上端１１を下方にして、ポケット内に収納すれば、メモ用紙３０が降雨に濡れる心配もない。
【０００６】
【発明の実施の形態２】
本発明の実施の形態２が図７乃至図９に示されている。
本発明メモ用紙入れは、合成樹脂シートカバー１０Ｂとクリップ付き鉛筆２０Ｂと耐水メモ用紙３０Ｂとを備えている。
シートカバー１０Ｂは、図７に示すように、折り目１０１Ｂで２つ折りした合成樹脂シートで、上端１１Ｂ及び下端１２Ｂは折り目１０１Ｂから約３センチメートルあけてから封止し、上端１１Ｂ及び下端１２Ｂの封止していない部分は、開き部分１１０Ｂ及び１２０Ｂとなっている。
図上右側端１３Ｂは、封止されておらず、メモ用紙３０Ｂを収納又は取り出しできるように、開口されている。
クリップ付き鉛筆２０Ｂは、発明の実施の形態１のものと同一のため詳細説明は省略する。
メモ用紙３０Ｂは、厚み約７５ミクロンの前述した耐水フィルムを１０枚重ね合わしたもので、一枚一枚取り出せるものである。
従って、合成樹脂シートカバー１０Ｂ内に、開口側端１３Ｂから、耐水メモ用紙３０Ｂを収納し、開口部分１１０Ｂに、クリップ２１Ｂが係着できるように、クリップ付き筆記具２０Ｂを、シートカバー１０Ｂ内に挿入すれば、本発明のメモ用紙入れが出来上がる。
従って、メモ用紙３０Ｂは、潜水中、水中、降雨中でも自由にメモ用紙３０Ｂを取り出して、メモ用紙は、べとつくことなく筆記具２０Ｂで筆記できる。
また、開き部分１１０Ｂ及び１２０Ｂ、開口側端１３Ｂがあるので、水中でもメモ用紙の収納又は取り出しは円滑にできる。
【０００７】
【発明の効果】
本発明によれば、脱離しやすい胸ポケットなどに収容したメモ用紙や鉛筆等の筆記具が一体化しているので、胸ポケットなどから脱離しにくくなり、また、汗や降雨を受けてもメモ用紙のべとつきが防止できる。さらに、耐水メモ用紙を使用した場合は、潜水中、水中、降雨中でも筆記できる。
また、本発明品は、製作容易で安価につき、簡単に使用できる利点がある。
【図面の簡単な説明】
【図１】本発明の実施の態様を示す斜視図である。
【図２】シートカバーの斜視図である。
【図３】図２のＡ−Ａ線拡大断面図である。
【図４】図２のＢ−Ｂ線拡大断面図である。
【図５】図１の使用状態説明図である。
【図６】図１の本発明品を胸ポケットに収容したときの正面図である。
【図７】本発明の別の実施の態様を示す斜視図である。
【図８】図７の本発明品を潜水中に使用しているときの説明図である。
【図９】図７の本発明品を降雨中に使用しているときの説明図である。
【符号の説明】
１０、１０Ｂ　　　　シートカバー
１０１、１０１Ｂ　　シート折り目
１１、１１Ｂ　　　　シート上端
１１０、１１０Ｂ　　上端開き部分
１２、１２Ｂ　　　　シート下端
１２０Ｂ　　　　　　下端開き部分
１３、１３Ｂ　　　　開口側端
２０、２０Ｂ　　　　クリップ付き筆記具
２１、２１Ｂ　　　　クリップ
３０　　　　　　　　メモ用紙
３０Ｂ　　　　　　　耐水メモ用紙
【図１】
2004049363.tif 000003
【図２】
2004049363.tif 000004
【図３】
2004049363.tif 000005
【図４】
2004049363.tif 000006
【図５】
2004049363.tif 000007
【図６】
2004049363.tif 000008
【図７】
2004049363.tif 000009
【図８】
2004049363.tif 000010
【図９】
2004049363.tif 000011